(57)【要約】【課題】搬送管部の上方に排出ダクトなどの他部材が設けられている場合でも、下方ケース部を十分に大きな角度で開いた開放姿勢としてメンテナンスを行い易い水田作業機の農用資材供給装置を提供する。【解決手段】ホッパ３１の下部に、繰出しロール３７の回転によってホッパ３１内の粉粒状の農用資材を繰出す繰出しケース部３４を連設し、繰出しケース部３４の下部に、圧送用空気を受け入れる送風管部３６ａと、繰出された農用資材を圃場に送り出す搬送管部５５とが連通配置され、繰出しケース部３４が、上方ケース部３５と繰出しロール３７よりも搬送管部５５寄りの第１横向き軸心Ｘ１回りで上方ケース部３５に揺動開閉自在に枢支連結された下方ケース部３６とを備え、搬送管部５５を、下方ケース部３６の下端付近の第２横向き軸心Ｘ２回りで、下方ケース部３６に揺動開閉自在に枢支連結している。【選択図】図９
2013000074.tif 000002
【特許請求の範囲】
【請求項１】
粉粒状の農用資材を貯留するホッパの下部に、内装した繰出しロールの回転に応じて前記ホッパ内の農用資材を繰出す繰出しケース部を連設し、
前記繰出しケース部の下部には、送風機からの圧送用空気を受け入れる送風管部と、繰出しロールによって繰出された農用資材を前記圧送用空気と共に圃場に向けて送り出す搬送管部とが連通配置されており、
前記繰出しケース部が、前記ホッパに接続された上方ケース部と、前記繰出しロールを間に挟むように前記上方ケース部の下方開口部に連設された下方ケース部とを備え、
前記下方ケース部を、前記繰出しロールよりも前記搬送管部寄りに配置された第１横向き軸心回りで、前記上方ケース部に揺動開閉自在に枢支連結してあり、
前記搬送管部を、前記下方ケース部の下端付近に配置された第２横向き軸心回りで、前記下方ケース部に下方に揺動開閉自在に枢支連結してある水田作業機の農用資材供給装置。
【請求項２】
前記第２横向き軸心を備えた軸部材が前記搬送管部と前記下方ケース部との一方に設けられ、前記軸部材に対して弾性的に着脱自在に外嵌支持される係止部が前記搬送管部と前記下方ケース部との他方に設けられている請求項１に記載の水田作業機の農用資材供給装置。
【請求項３】
前記送風機からの圧送用空気を前記送風管部に送り込むための搬送空気風路が、水田作業機の幅方向に沿って並設された複数の前記繰出しケース部に沿って配設されており、
前記搬送空気風路のうち、水田作業機の前後方向で各繰出しケース部と重複する対応部位が選択的に他の部位から分離可能に構成されている請求項１または２に記載の水田作業機の農用資材供給装置。
【請求項４】
前記対応部位と前記他の部位とを着脱自在に連結する環状の連結具が、
前記他の部位の端部の全周と前記対応部位の端部の約半周とに外嵌される固定部位と、
前記固定部位に枢支されており、前記対応部位の端部の残りの約半周と前記固定部位とに同時に外嵌された連結姿勢と、前記対応部位の端部の残りの約半周と前記固定部位との双方から離脱された解除姿勢の間で切り換え可能な可動部位とを備えている請求項３に記載の水田作業機の農用資材供給装置。
【発明の詳細な説明】
【技術分野】
【０００１】
本発明は、ホッパ内に装入された肥料や種籾などの粉粒状の農用資材を水田などの圃場に供給する水田作業機の農用資材供給装置に関する。
【０００２】
本発明は、より具体的には、粉粒状の農用資材を貯留するホッパの下部に、内装した繰出しロールの回転に応じてホッパ内の農用資材を繰出す繰出しケース部を連設し、繰出しケース部の下部には、送風機からの圧送用空気を受け入れる送風管部と、繰出しロールによって繰出された農用資材を圧送用空気と共に圃場に向けて送り出す搬送管部とが連通配置されている水田作業機の農用資材供給装置に関する。
【背景技術】
【０００３】
この種の農用資材供給装置に関連する先行技術文献情報として下記に示す特許文献１がある。この特許文献１に記された水田作業機の農用資材供給装置では、繰出しケースが、ホッパの上端寄りに配置された上方ケース部と、繰出しロールを間に挟むように上方ケース部の下方開口部に連設された下方ケース部とに分割されており、下方ケース部を、繰出しロールよりも搬送管部寄りに配置された第１横向き軸心回りで、上方ケース部に揺動開閉自在に枢支連結してある。
【０００４】
すなわち、非作業中に下方ケース部を上方ケース部に対して開放姿勢とすることで、繰出しロールを繰出しケース部から取り出すこと等により、繰出しロール及び繰出しケース部の清掃やメンテナンスを作業性良く行える。しかも、下側部分を再び閉塞する際も、下方ケース部を上方ケース部に当たるまで揺動操作するだけで良いため、下方ケース部の上方ケース部に対する位置合わせ等が不要となり好都合とされている。
【先行技術文献】
【特許文献】
【０００５】
【特許文献１】特開２００４−２９０１１６号公報（０００７〜０００９段落、図９）
【発明の概要】
【発明が解決しようとする課題】
【０００６】
しかし、特許文献１に記された水田作業機の農用資材供給装置では、作業の終了後などに繰出しロールの上に残留している農用資材を回収するための排出ダクトなどの他部材が搬送管部の上方に設けられている場合、搬送管部が同他部材と干渉するために、下方ケース部を上方ケース部に対して十分に大きな角度で開いた開放姿勢にすることができず、清掃作業やメンテナンス作業を行い難いという問題点があった。
【０００７】
そこで、本発明の目的は、上に例示した従来技術による水田作業機の農用資材供給装置が与える課題に鑑み、搬送管部の上方に排出ダクトなどの他部材が設けられている場合でも、下方ケース部を上方ケース部から十分に大きな角度で開いた開放姿勢にすることができ、メンテナンス作業を行い易い水田作業機の農用資材供給装置を提供することにある。
【課題を解決するための手段】
【０００８】
本発明による水田作業機の農用資材供給装置の特徴構成は、
粉粒状の農用資材を貯留するホッパの下部に、内装した繰出しロールの回転に応じて前記ホッパ内の農用資材を繰出す繰出しケース部を連設し、
前記繰出しケース部の下部には、送風機からの圧送用空気を受け入れる送風管部と、繰出しロールによって繰出された農用資材を前記圧送用空気と共に圃場に向けて送り出す搬送管部とが連通配置されており、
前記繰出しケース部が、前記ホッパに接続された上方ケース部と、前記繰出しロールを間に挟むように前記上方ケース部の下方開口部に連設された下方ケース部とを備え、
前記下方ケース部を、前記繰出しロールよりも前記搬送管部寄りに配置された第１横向き軸心回りで、前記上方ケース部に揺動開閉自在に枢支連結してあり、
前記搬送管部を、前記下方ケース部の下端付近に配置された第２横向き軸心回りで、前記下方ケース部に下方に揺動開閉自在に枢支連結してある点にある。
【０００９】
上記の特徴構成による農用資材供給装置では、前記搬送管部を、前記下方ケース部の下端付近に配置された第２横向き軸心回りで、前記下方ケース部に揺動開閉自在に枢支連結してあるので、搬送管部を下方ケース部から連結解除させると、搬送管部は下方ケース部に対して第２横向き軸心回りで揺動自在となる。この状態で、下方ケース部を開放姿勢にすると、下方ケース部は排出ダクトなどの他部材と干渉することなく、上方ケース部から十分に大きな角度で開いた開放姿勢となり、繰出しロール及び繰出しケース部のメンテナンス作業を容易に行うことができる。
【００１０】
尚、もしも搬送管部が下方ケース部から完全に離間した分離開放状態となる構成であれば、ホースに接続された搬送管部が農用資材供給装置から離れて地上などに落下するため、メンテナンス作業の終了後には、作業者が水田作業機から降りるなどして、ホースに接続された搬送管部を回収する必要がある。しかし、上記の特徴構成による農用資材供給装置では、搬送管部が下方ケース部に対して第２横向き軸心回りで枢支されたままの開放状態とできるので、メンテナンス作業の終了後にも、作業者は水田作業機から降りることなく、搬送管部を揺動させることで、簡単に下方ケース部に対する閉鎖姿勢に戻すことができる。
【００１１】
本発明の他の特徴構成は、前記第２横向き軸心を備えた軸部材が前記搬送管部と前記下方ケース部との一方に設けられており、前記軸部材に対して弾性的に着脱自在に外嵌支持される係止部が前記搬送管部と前記下方ケース部との他方に設けられている点にある。
【００１２】
本構成であれば、先ず搬送管部を開放側に揺動した姿勢としておき、次に搬送管部を適当な方向に引っ張る等の簡単な操作で、係止部が軸部材から取り外され、搬送管部は下方ケース部から完全に分離され、搬送管部の内部や下方ケース部の下部の清掃やメンテナンスを容易に行うことができる。
【００１３】
本発明の他の特徴構成は、前記送風機からの圧送用空気を前記送風管部に送り込むための搬送空気風路が、水田作業機の幅方向に沿って並設された複数の前記繰出しケース部に沿って配設されており、
前記搬送空気風路のうち、水田作業機の前後方向で各繰出しケース部と重複する対応部位が選択的に他の部位から分離可能に構成されている点にある。
【００１４】
送風管部が搬送空気風路の対応部位から抜け出される構成の場合は、搬送空気風路の対応部位を他の部位から分離させなくても、下方ケース部を上方ケース部に対して揺動開放させることができるが、本構成であれば、搬送空気風路の対応部位を他の部位から分離させることで、繰出しロール及び繰出しケース部のメンテナンス作業を更に容易に行うことができる。
また、下方ケース部が送風管部を介して搬送空気風路の対応部位と一体的に構成されている場合も、本構成であれば、該当する対応部位を隣接する他の部位から分離させながら、下方ケース部を上方ケース部に対して揺動開放させることが可能となる。
【００１５】
本発明の他の特徴構成は、前記対応部位と前記他の部位とを着脱自在に連結する環状の連結具が、
前記他の部位の端部の全周と前記対応部位の端部の約半周とに外嵌される固定部位と、
前記固定部位に枢支されており、前記対応部位の端部の残りの約半周と前記固定部位とに同時に外嵌された連結姿勢と、前記対応部位の端部の残りの約半周と前記固定部位との双方から離脱された解除姿勢の間で切り換え可能な可動部位とを備えている点にある。
【００１６】
本構成であれば、連結具の可動部位のみを解除姿勢に切り換えることで、搬送空気風路の対応部位を簡単に取り外すことが可能となる。
また、搬送空気風路の対応部位を取り外した後も、連結具はその固定部位によって搬送空気風路の他の部位に外嵌固定されているため、繰出しロール及び繰出しケース部のメンテナンス作業中に連結具が邪魔になる虞がなく、更に、搬送空気風路の対応部位を元の位置に復帰させて搬送空気風路の他の部位と再び連結する作業も簡単に行うことができる。
【図面の簡単な説明】
【００１７】
【図１】田植機の全体側面図である。
【図２】田植機の全体平面図である。
【図３】施肥装置の正面図である
【図４】施肥装置の調節機構を示す側面図である。
【図５】施肥時における搬送風の流れを示す図である。
【図６】肥料回収時における搬送風の流れを示す図である。
【図７】繰出部の駆動系等を示す側面図である。
【図８】繰出部の縦断側面図である。
【図９】繰出ケースの開放状態を示す側面図である。
【図１０】排出シャッターが閉じ状態での切換レバー等の操作系の側面図である。
【図１１】排出シャッターが開放状態での切換レバー等の操作系の側面図である。
【図１２】排出ダクトの内部に備えられたガイド体を示す断面図である。
【図１３】下部繰出ケース（下方ケース部）と送風ダクト（搬送空気風路）との接続部を示す断面図である。
【図１４】シャッターバネ等を示す断面図である。
【図１５】操作ロッド、操作バネ、連係ロッド等を示す分解斜視図である。
【図１６】切換シャッターを示す断面図である。
【図１７】下部繰出ケース（下方ケース部）と搬送管（搬送管部）との連結構造を示す斜視図である。
【図１８】送風ダクト（搬送空気風路）のロックリング（連結具）を示す側面図である。
【図１９】送風ダクト（搬送空気風路）のロックリング（連結具）を示す正面図である。
【図２０】ロックリング（連結具）の作用を示す破断正面図である。
【発明を実施するための形態】
【００１８】
以下、本発明の実施の形態を図面に基づいて説明する。
〔田植機の全体構成〕
図１及び図２に示す田植機は、機体１の運転部ステップ１８上にステアリングホイール１０等を装備した操縦部１１と運転席１２とを備え、本発明に係る施肥装置２（農用資材供給装置の一例）が運転席１２の後方に配設されている。機体１は操向操作自在な左右一対の前輪１４及び後輪１５を備えており、車体フレーム１３の前部側にエンジン１６及びミッションケース１７が配設される。
【００１９】
運転部ステップ１８の両外側には、運転部ステップ１８と連続的なステップ面をなす前部補助ステップ１９が設けられ、さらにその両外側に予備苗のせ台２２が設置される。また、前部補助ステップ１９の後方には後部が高くなる後部補助ステップ２０が配設されている。前部補助ステップ１９及び後部補助ステップ２０は、ステップ支持フレームに支持されている。
【００２０】
機体１の背面にはリフトシリンダ２１ａを備えたリンク機構２１を昇降操作自在に連結してあり、このリンク機構２１の後端側に苗植付装置３が備えられている。施肥装置２の繰出部３２から繰り出された肥料は、ホース８２を介して苗植付装置３の作溝器８１に送られ、この作溝器８１から圃場面に供給される。
【００２１】
〔苗植付装置〕
図２に示すように、苗植付装置３は８条植えに構成され、４つの植付伝動ケース８３、植付伝動ケース８３に支持される一対の回転ケース８４、夫々の回転ケース８４に備えた２つの植付爪８５、５つの接地フロート８６、及び、マット状苗が載置される苗のせ台８７夫々を備えている。各植付爪８５による苗植付け箇所の横側付近には、接地フロート８６に取付けた作溝器８１が１個ずつ配置され、その上端部にはホース８２が接続している。この構成により、植え付け作動と連係して圃場面に植え付けられた苗の近傍位置に作溝器８１が溝を形成し、この溝に肥料が供給される。
【００２２】
〔施肥装置〕
図３及び図５に示すように、施肥装置２は粒状の肥料（農用資材の一例）を貯留する貯留ホッパ３１（ホッパの一例）と、貯留ホッパ３１の下側に配置された４つの繰出部３２とを備える。貯留ホッパ３１は透明樹脂製の容器であり、支持フレーム３３に固定されている。この支持フレーム３３は丸パイプ状の横フレーム部３３ａと、横フレーム部３３ａに連結する角パイプ状で貯留ホッパ３１を支持する支持フレーム部３３ｂとを備えている。
【００２３】
貯留ホッパ３１の上部に開閉可能な蓋３１ａが設けられ、この蓋３１ａを開放することで貯留ホッパ３１に上部から肥料の投入が可能となる。貯留ホッパ３１は機体１の幅方向に沿った長辺を有するほぼ直方体形状であり内部が４つの貯留空間に仕切られている。これらの各貯留空間の下側に一つの繰出部３２が配設され、これら４つの貯留ホッパ３１から繰出部３２に肥料が送られる。１つの繰出部３２は、２条の苗列に肥料を供給するように２本のホース８２に対して肥料を送り出す。
【００２４】
図８及び図９に示すように、１つの繰出部３２は、貯留ホッパ３１の下方に配置された繰出ケース３４（繰出しケース部の一例）と、繰出ケース３４に内装された繰出ロール３７及びブラシ３８とを備えている。繰出ケース３４は貯留ホッパ３１の下端に支持された上部繰出ケース３５（上方ケース部の一例）と、繰出しロール３７を間に挟むように上部繰出ケース３５の下方開口部に連設された下部繰出ケース３６（下方ケース部の一例）とを有する。繰出ロール３７は、上部繰出ケース３５と下部繰出ケース３６の境界部に横向き姿勢の軸芯を中心にして回転自在に備えられ、ブラシ３８は毛先が繰出ロール３７の外周に接触するように配置されている。
【００２５】
貯留ホッパ３１に貯留されている肥料は自重により上部繰出ケース３５に流入する。繰出ロール３７の外周には肥料が入り込む凹部３７ａが周方向に沿って複数形成されており、この繰出ロール３７の軸芯と同軸芯に配置した繰出軸６５が図８において時計回り（矢印で示す方向）に回転することで凹部３７ａ内にある肥料が下部繰出ケース３６に送られる。このとき余分となる肥料は、ブラシ３８ですり切られるため、凹部３７ａに入り込んでいる一定量の肥料だけが繰り出される。なお、下部繰出ケース３６は透明な樹脂材料から作製されてため外部から内部を視認することができる。
【００２６】
下部繰出ケース３６の下部前方には、後述するブロア１０４から送られる圧送用空気を受け入れる送風管路３６ａ（送風管部の一例）が連通状に配置されている。
他方、下部繰出ケース３６の下部後方には、繰出しロール３７によって繰出された肥料を送風管路３６ａから送られた圧送用空気と共に圃場に向けて送り出す搬送管５５（搬送管部の一例）が連通状に配置されており、搬送管５５の突出端に前述したホース８２が連結されている。
【００２７】
また、下部繰出ケース３６の前部側には、ブロア１０４からの圧送用空気を送風管路３６ａに送り込むための筒状の送風ダクト１０１（搬送空気風路の一例）が、水田作業機の幅方向に沿って並設された４つの繰出しケース部に沿って横長姿勢で配設されており、前述した送風管路３６ａは、後述する導入部材１０８を介して、送風ダクト１０１と連通接続されている。
【００２８】
送風管路３６ａのうち下部繰出ケース３６との接続部には搬送風の流れを制限する絞り部３６ｄが形成されている。このような構成から、施肥が行われる際には、繰出ロール３７の回転により上部繰出ケース３５の肥料が下部繰出ケース３６の下部空間に送り出され、送風管路３６ａには送風ダクト１０１からの搬送風が供給される。この供給時には絞り部３６ｄが搬送風の流れを少し制限することにより複数の送風管路３６ａに対して均一した搬送風が供給される。次に、下部空間に送り出された肥料は搬送風の圧力により搬送管５５に送られ、更に、搬送風とともにホース８２から作溝器８１に搬送され作溝器８１を介して圃場面に供給される。
【００２９】
苗植付装置３は機体１に対して昇降するため、昇降に応じて柔軟に変形するコルゲート管がホース８２として用いられている。苗植付装置３のレベルに拘わらずホース８２に対して肥料を円滑に搬送するためホース８２の基端側、つまり、施肥装置２に連結する位置を高いレベルにすることが望ましい。そこで、図８などに示すように、側面視で搬送管５５の搬送方向での下流側の端部位置を高い位置に設定している。
【００３０】
具体的には、搬送管５５の搬送方向での中間位置から搬送上流側を搬送下流側ほど低くなる下り傾斜に設定し、中間位置から下流側を下流側ほど高くなる登り傾斜に設定するように、この搬送管５５を緩やかに屈曲させている。搬送管５５の内面が滑らかに成形されているため、繰出部３２の下部空間から搬送風とともに肥料が搬送管５５に送り込まれた際には、肥料は下り傾斜に沿って流れた後に登り傾斜に沿って登り、高いレベルからホース８２に供給されることになる。
【００３１】
図５、図６、図１３に示すように、１つの繰出部３２は２本の搬送管５５に対して肥料を送り出す構造であり、この２本の搬送管５５を下部繰出ケース３６に連結するため、２本の搬送管５５に連結する単一の基端部５５Ａが２本の搬送管５５と一体的に形成されている。基端部５５Ａには１本の開閉軸５６が備えられ、この開閉軸５６と一体的に作動することで対応する搬送管５５を開閉作動する２つの導風シャッター５７が開閉軸５６に備えられている。開閉軸５６に対して付勢力を作用させることで２つの搬送管５５の導風シャッター５７を同時に開放状態に設定するシャッターバネ５８が２つの搬送管５５の中間位置に備えられている。
【００３２】
下部繰出ケース３６の下部空間（繰出部３２の下部空間）から搬送管５５に肥料が搬送される領域が搬送経路であり、導風シャッター５７は搬送経路の何れの箇所に備えられても良い。従って、導風シャッター５７を下部繰出ケース３６に備えても良い。特に、導風シャッター５７を閉じ状態にした場合には送風管路３６ａに供給される搬送風を繰出部３２の下部繰出ケース３６から上部繰出ケース３５の方向に送ることが可能となる。
【００３３】
繰出部３２の送風管路３６ａと送風ダクト１０１とを接続する箇所に、導入部材１０８が取り付けられている。図８、図１３に示すように、導入部材１０８は、送風ダクト１０１内に突出する椀状の導入部１０８ａを備えている。導入部１０８ａは送風ダクト１０１の上流側に開口部を向けるように配置され、搬送風を送風ダクト１０１から送風管路３６ａに導くように構成されている。
【００３４】
図８、図１２に示すように、繰出ロール３７の外周近傍のうちブラシ３８と反対側で、貯留ホッパ３１と繰出部３２との中間位置に貯留ホッパ３１の肥料を排出可能な排出経路として排出口３５ａが設けられている。排出口３５ａには排出シャッター３９が開閉自在に備えられ、この排出シャッター３９は、横軸４０と一体的に揺動するにより開閉する。繰出部３２の後面側には横長姿勢で排出ダクト１０２が備えられ、この排出ダクト１０２に形成された筒状の接続部１０２ａが排出口３５ａの部位と連結している。
【００３５】
排出シャッター３９を図８に示す閉じ状態（閉じ姿勢）に設定した状態で、この排出シャッター３９の揺動端３９ａが接触する接当部３５ｂが上部繰出ケース３５に形成され、この接当部３５ｂを基準にして、排出ダクト１０２の方向ほど排出ダクト側の底面が低レベルとなる案内底壁３５ｃが上部繰出ケース３５に形成され、これに連なる接続部１０２ａの内部には段部１０２ｂが形成されている。
【００３６】
通常の田植作業時には、排出シャッター３９は図８の実線で示す閉じ状態（閉じ姿勢）に維持される。この閉じ状態では排出シャッター３９の揺動端３９ａが排出口３５ａの接当部３５ｂに接当する状態にあるため、肥料は排出ダクト１０２には排出されない。一方、田植作業の終了後等に肥料を貯留ホッパ３１から回収する場合、排出シャッター３９を図８の二点鎖線で示す開放状態に操作する。この開放状態では、貯留ホッパ３１に残留する肥料が案内底壁３５ｃから段部１０２ｂに送られると同時に、繰出部３２の下部空間から供給される搬送風の圧力により接続部１０２ａから排出ダクト１０２に送り出されることになる。送風ダクト１０１及び排出ダクト１０２の配置や排出シャッター３９の切り換え操作については後述する。
【００３７】
〔駆動・伝達機構〕
エンジン１６の動力を繰出部３２に伝達して駆動する駆動・伝達機構について説明する。繰出部３２を操作する動力は、図１に示すミッションケース１７から後方に延出された伝動軸５１から伝達される。図３に示すように、伝動軸５１及び回転アーム５２は機体１の左右中央に配置され、左右の車体フレーム１３の間に配置されている。伝動軸５１に回転アーム５２が連結され、回転アーム５２の偏芯位置に作動ロッド５３が上方に延出するように連結されている。このような構成により、伝動軸５１とともに回転アーム５２が回転駆動した際には作動ロッド５３が上下往復運動を行い、この作動ロッド５３の上下往復運動は調節機構７０を介して駆動ロッド５９から繰出ロール３７へと伝えられる。
【００３８】
調節機構７０には、作動ロッド５３から伝えられる駆動力の作動ストロークを調節して駆動ロッド５９に伝える作動量調節手段（不図示）が内装されている。作動量調節手段は図４に示す調節ノブ７０Ａを含み、この調節ノブ７０Ａを人為的に回転操作することにより、作動量変更手段による調節量が変更され、作動ロッド５３の１作動当たりの繰出ロール３７の回転角度が変更されて肥料の繰出し量の調整が実現される。
【００３９】
図７に示すように、繰出ケース３４の後部位置には駆動軸６２が配置され、この駆動軸６２と一体回転する駆動ギヤ６３が、各繰出ケース３４の近傍に備えられている。繰出ロール３７と一体回転する繰出軸６５に備えた受動ギヤ６５Ａが繰出ケース３４の側方外部に備えられ、この受動ギヤ６５Ａと駆動ギヤ６３とが噛合されている。駆動軸６２の軸端にはワンウエイクラッチ６４が備えられ、このワンウエイクラッチ６４のアームに対して、調節機構７０の駆動ロッド５９が連結している。
【００４０】
苗植付作業が行われる際には、伝動軸５１からの駆動力が作動ロッド５３と、調節機構７０と、駆動ロッド５９とを介してワンウエイクラッチ６４に伝えられ、駆動軸６２の駆動ギヤ６３に噛合する受動ギヤ６５Ａが回転する結果、繰出軸６５と一体的に繰出ロール３７が回転し、貯留ホッパ３１の肥料が繰り出され、施肥が行われる。そして、調節機構７０の調節ノブ７０Ａを回転操作すると、駆動ロッド５９の上下方向の作動ストロークが変更されるため、作動ロッド５３の１作動あたりの繰出ロール３７の回転角度が変更され肥料の繰り出し量の変更が実現する。
【００４１】
〔電動ブロア・搬送手段〕
図２から図５に示すように、肥料の供給あるいは回収の際に利用される搬送風を作り出す電動ブロア１０４（送風機の一例）が運転席１２の下後方に配設されている。この電動ブロア１０４は、電動モータ１０４ａをファンケース１０４ｂに連結した構造を有しており、ファンケース１０４ｂに内蔵したファン１０４ｃが電動モータ１０４ａで駆動されることによりファンケース１０４ｂから送風ダクト１０１に搬送風が供給される。
【００４２】
また、図２に示すように、電動ブロア１０４に外気を導入する導入ダクト１０５は、導入ダクト１０５の吸気口１０５ａがエンジン１６の近傍でマフラー２５の後方に位置するように配設されている。すなわち、エンジン１６で加熱された空気やマフラー２５で加熱された空気を吸気口１０５ａから吸引し、搬送風の温度を上昇させることが可能となり、搬送風により肥料の乾燥を促進できる。
【００４３】
図３に示すように、左右一対の車体フレーム１３から上方に補助フレーム１３ａが立設され、この左右の補助フレーム１３ａの上端に対して着脱自在に備えたブラケット６７で吊り下げる形態で電動ブロア１０４が支持されている。ブラケット６７は、水平姿勢で補助フレーム１３ａの上端に対してボルトにより着脱自在に取り付けられる支持片６７ａと、この支持片６７ａの中間位置から下方に垂下する姿勢でファンケース１０４ｂに連結する連結片６７ｂとで構成されている。したがって、例えば、メンテナンスのために電動ブロア１０４を取り外す場合には、ボルトの操作により補助フレーム１３ａからブラケット６７を取り外すことにより、電動ブロア１０４を上方に抜き出すことができる。
【００４４】
図５及び図６に示すように、送風ダクト１０１は、右側送風ダクト１０１ａと左側送風ダクト１０１ｂとを備え、これらに電動ブロア１０４から搬送風を供給する分岐ダクト１０１ｃを備えており、これらは繰出部３２の前側（図５、図６の下側）に配設されている。右側送風ダクト１０１ａ及び左側送風ダクト１０１ｂには各繰出部３２の送風管路３６ａが連結されている。
【００４５】
肥料回収用の排出ダクト１０２は、繰出部３２の後側（図５、図６の上側）に配設され、各繰出部３２の排出口３５ａと連結される。排出ダクト１０２の右端（図５、図６の左側）には、肥料を回収袋５（図６を参照）に回収するための排出部１０２ｃが設けられている。送風ダクト１０１と排出ダクト１０２とは、各ダクトの左端（図５、図６の右側）にて、平面視でコ字状の連結ダクト１０３により連通状態で連結されている。連結ダクト１０３には切換シャッター１０７が設けられ、搬送風の流入を許容する状態と遮断する状態との間で切り換えることができる。
【００４６】
排出部１０２ｃは、排出ダクト１０２の右端を下方に屈曲させることにより肥料の排出方向を下方に設定してあり、図２に二点鎖線で示すように、排出部１０２ｃの近傍位置で排出ダクト１０２と平行する姿勢となる支持ロッド９０が機体横方向に出退自在に備えられている。図４に示すように、繰出部３２を支持する支持フレーム３３の支持フレーム部３３ｂから後方に突出するように複数のステー９１が固設され、夫々のステー９１に穿設された貫通孔に対して支持ロッド９０が挿通されている。支持ロッド９０は、排出部１０２ｃから排出される肥料を回収するための回収袋５を吊り下げるために使用される。
【００４７】
〔肥料回収構造〕
図１０及び図１１に示すように、施肥装置２を「作業位置」と「回収位置」とに操作自在な切換レバー２６が、繰出部３２の前部側（機体１の前側）に向けて突出する位置に備えられている。この切換レバー２６は、４つの排出シャッター３９と、８つの導風シャッター５７と、切換シャッター１０７とを連係して操作する切換操作具として機能する。
【００４８】
切換レバー２６は、切換軸２７の右端（図５、図６の左側）で、排出部１０２ｃに近接した位置に設けられているので、作業者が肥料の回収状況を確認しながら切換レバー２６の操作を行うことができる。切換軸２７には４つの切換アーム２８と、回動アーム４５（図５、図６、図１６を参照）が固定されており、切換レバー２６を操作して切換軸２７を回動させることにより、４つの排出シャッター３９と切換シャッター１０７との開閉を同時に行い、排出シャッター３９の開閉と連係して導風シャッター５７を開閉する連係が構成されている。
【００４９】
切換レバー２６と支持フレーム３３との間には、この切換レバー２６を「作業位置」と「回収位置」との何れか一方にトグル式に保持するように切換レバー２６に常時付勢力を作用させるスプリング２４が設けられている。つまり、スプリング２４が切換レバー２６に係合する位置を付勢力作用点とすると、切換レバー２６が「作業位置」にある場合には、付勢力作用点は切換軸２７より上側にあり、スプリング２４の付勢力は切換レバー２６を「作業位置」に保持する力として作用する。これとは逆に、切換レバー２６を「作業位置」から「回収位置」に操作した場合には、付勢力作用点が切換軸２７の下側に切り換わるため、スプリング２４の付勢力は切換レバー２６を「回収位置」に保持する力として作用する。
【００５０】
排出シャッター３９を開閉作動させる横軸４０の端部に２つのアーム部を有する切換部材７２が取付られ、この切換部材７２の一方の端部と切換アーム２８との間に付勢手段としての操作バネ７３と、操作ロッド７４とが介装されている。つまり、操作バネ７３は、一方の端部を切換部材７２に係合させ、他方の端部を切換アーム２８に係合させている。また、操作ロッド７４の一方の端部を切換部材７２に係合させ、他方の端部を切換アーム２８の長孔２８ａに係合させている。
【００５１】
図９、図１０、図１５に示すように一対の導風シャッター５７を開閉作動させる開閉軸５６の端部に開閉レバー７５が備えられ、この開閉レバー７５と切換部材７２の他方のアームとの間に連係機構としての連係ロッド７６が介装されている。この連係ロッド７６は上端側を切換部材７２に係合させ、中間部をガイド部３５ｅに挿通させ、下端部の操作端７６ａを開閉レバー７５に近接させている（図１５を参照）。ガイド部３５ｅは、Ｕ字状のロッドを上部繰出ケース３５のフランジ部３５ｆの側面に備えて形成されている。
【００５２】
特に、開閉レバー７５において連係ロッド７６が係合する部位には、アームの上方に開放しており、この開放部分には係合部７５ａが形成されている。すなわち、搬送管５５を下部繰出ケース３６から取り外す場合にも、連係ロッド７６が開閉レバー７５から分離しているのでメンテナンスを容易にできるものとなる。また、係合部７５ａは連係ロッド７６が下方に作動した際に、下端の操作端７６ａに係合することにより開閉レバー７５と連係ロッド７６との分離を阻止する。
【００５３】
操作バネ７３と、操作ロッド７４と、切換アーム２８の長孔２８ａとで操作機構が構成されている。この操作機構では、切換レバー２６を「作業位置」に設定した際には、操作ロッド７４の切換アーム側の端部が長孔２８ａの内部で自由に変位できる状態にあり、操作バネ７３（付勢手段）が伸長状態に達することから、この操作バネ７３の付勢力だけを切換部材７２に作用させ、横軸４０を中心にして切換部材７２を揺動させることで排出シャッター３９が閉じ状態に操作される。また、切換レバー２６を「作業位置」に設定した場合には、切換部材７２の揺動姿勢の切り換わりに伴い、連係ロッド７６が引き上げ方向に作動し、シャッターバネ５８の付勢力によって開閉レバー７５が揺動することにより、導風シャッター５７が閉鎖状態に操作される。
【００５４】
この操作機構では、この切換レバー２６を「回収位置」に設定した際には、操作バネ７３が弛緩して付勢力が切換部材７２に作用しない状態に達するとともに、操作ロッド７４の切換アーム側の端部が長孔２８ａの端部に接当し、切換レバー２６からの押し込み方向への操作力を切換部材７２に伝えることにより排出シャッター３９が開放状態に操作される。また、切換レバー２６を「回収位置」に設定した場合には、切換部材７２の揺動姿勢の切り換わりに伴い、連係ロッド７６が押し下げ方向に作動し、操作端７６ａからの押圧力によって開閉レバー７５を揺動させることにより、シャッターバネ５８の付勢力に抗して導風シャッター５７が閉鎖状態に操作される。
【００５５】
図５、図６、図１６に示すように切換軸２７は、切換ロッド４６を介して切換シャッター１０７と連係している。具体的には切換シャッター１０７のシャッター軸４７ａの軸端に操作アーム４７を備えており、切換軸２７に備えた回動アーム４５と操作アーム４７とが切換ロッド４６によって連係されている。すなわち、切換レバー２６が「作業位置」にある状態では、切換シャッター１０７が実線で示す閉じ状態に設定され、切換レバー２６が「回収位置」に操作されると、切換シャッター１０７が仮想線で示す開放状態に達する。
【００５６】
田植作業を行う際には、切換レバー２６を「作業位置」に設定維持することにより、図５及び図８（実線記載）に示すように、排出シャッター３９を閉状態に、導風シャッター５７を開状態にし、切換シャッター１０７を閉じ状態とする。これにより、電動ブロア１０４からの搬送風は、右側送風ダクト１０１ａ及び左側送風ダクト１０１ｂに送られるが、排出ダクト１０２への供給は切換シャッター１０７により遮断されている。このため、搬送風は送風ダクト１０１から繰出部３２の下部に送られ、この繰出部３２から繰り出される肥料の圃場面への供給を実現する。
【００５７】
これに対して、田植作業が終了し、肥料を回収する際には、切換レバー２６を「回収位置」に設定維持して、図８において二点鎖線で示すように、排出シャッター３９を開放状態に、導風シャッター５７を閉じ状態にし、切換シャッター１０７を開放状態とする。これにより、電動ブロア１０４からの搬送風は繰出部３２の下部から繰出部３２の繰出ロール３７の方向に送られると同時に、連結ダクト１０３を経て排出ダクト１０２に送られる。また、排出シャッター３９が開いているので、繰出ロール３７とブラシ３８との間を通過した空気の流れと、その自重とにより肥料は繰出部３２から排出ダクト１０２に排出される。その結果、排出ダクト１０２に排出された肥料が、搬送風によって排出部１０２ｃへと運ばれ、肥料回収を行うことができる。
【００５８】
図１２に示すように、上部繰出ケース３５に接続する接続部１０２ａの開口部位を排出ダクト１０２の内部側に少し突出させ、この部位の搬送風の流れを高速化することにより、この排出ダクト１０２の負圧が高まり、吸引が良好に行われる。
また、上部繰出ケース３５と接続している接続部１０２ａに、平面視で三角形状の突起部１０２ｄを形成している。この突起部１０２ｄは、搬送風の流れの方向で下流側となる接続部１０２ａの側面に形成され、搬送風が上部繰出ケース３５に流れ込むことや、接続部１０２ａで搬送風が拡散して渦を作る不都合を抑制する。
【００５９】
更に、複数の接続部１０２ａのうち連結ダクト１０３に最も近い部位では、連結ダクト１０３から排出ダクト１０２に搬送風が送られる際に流れが９０度変更されるため、空気の流れが乱れる現象を招くものである。このような理由から、複数の接続部１０２ａのうち空気の流れの上流側（連結ダクト１０３の側）には、搬送風を接続部１０２ａへ案内することにより、この接続部１０２ａの方向への搬送風の流入を抑制するガイド体１１０を備えている。これにより、接続部１０２ａから肥料の排出を良好に行わせ、搬送風の流れにより搬送できるようにしている。
【００６０】
〔施肥装置のメンテナンス対応構造〕
施肥装置２の各部のメンテナンス作業を容易化するために設けられた幾つかの構成について以下に説明する。
施肥装置２の上部繰出ケース３５と下部繰出ケース３６とは、上部繰出ケース３５の下端後方に形成した係合孔３５ｆと、下部繰出ケース３６の後方上端に形成した係合片３６ｃとの係合に基づいて枢支連結され、この係合部付近に位置する第１横向き軸心Ｘ１回りで揺動開閉自在に構成されている。
【００６１】
図７、図８、図１０、図１１に示すように、施肥装置２の運転時には、上部繰出ケース３５と下部繰出ケース３６とは、開閉レバー４９によって閉鎖状態に維持されている。開閉レバー４９は下部繰出ケース３６に対して横向き軸心Ｘ３回りで揺動自在に支持され、開閉レバー４９の上方に設けられた係合凹部４９ａを上部繰出ケース３５のフランジ部３５ｆの係合凸部３５ｇに係止させることで、上部繰出ケース３５と下部繰出ケース３６とを閉鎖状態に維持する。開閉レバー４９を下方に揺動操作することで、係合凹部４９ａを係合凸部３５ｇから係合解除すると、下部繰出ケース３６を上部繰出ケース３５に対して開放姿勢に向けて揺動操作可能となる。下部繰出ケース３６を上部繰出ケース３５に対して開放姿勢にすると、上部繰出ケース３５、下部繰出ケース３６、繰出しロール３７のメンテナンスを容易に行うことができる。
【００６２】
また、搬送管５５も下部繰出ケース３６と別体に作られており、搬送管５５の前端に連結された基端部５５Ａと下部繰出ケース３６とが嵌合構造により位置決め状態で連結するものである。搬送管５５及び基端部５５Ａは下部繰出ケース３６の下端付近に配置された第２横向き軸心Ｘ２回りで、下部繰出ケース３６に揺動開閉自在に枢支連結してある。より具体的には、第２横向き軸心Ｘ２を備えた一対の軸部材３６ｐが下部繰出ケース３６の下端から左右横向きに突出形成されており、基端部５５Ａの下端には、軸部材３６ｐの外周面に外嵌支持される係止部８０が一体形成されている。
【００６３】
図７、図８、図１０、図１１に示すように、施肥装置２の作動時には、搬送管５５及び基端部５５Ａは、下部繰出ケース３６に揺動自在に支持された連結レバー４２によって閉鎖状態に維持されている。連結レバー４２は、その揺動端部側の連結凹部４２ａを基端部５５Ａの連結部外面から左右に突出形成された連結ピン部５５ｐに係合させることにより、図９に示すように、基端部５５Ａ及び２つの搬送管５５を下部繰出ケース３６に対する閉鎖状態に維持することができる。この連結レバー４２を人為操作で引き下げ、連結ピン部５５ｐから連結凹部４２ａを離間させると、基端部５５Ａ及び２つの搬送管５５を第２横向き軸心Ｘ２回りで下部繰出ケース３６に対して開放姿勢に揺動操作することができる。
【００６４】
基端部５５Ａ及び２つの搬送管５５が下部繰出ケース３６に対する閉鎖状態に維持された状態では、開閉レバー４９を外しても、搬送管５５と排出ダクト１０２との干渉によって、下部繰出ケース３６を上部繰出ケース３５に対して十分に大きく開放させることができない。しかし、図９に示すように、事前に基端部５５Ａ及び２つの搬送管５５を下部繰出ケース３６に対して開放姿勢に揺動操作しておけば、搬送管５５と排出ダクト１０２が干渉せず、下部繰出ケース３６を上部繰出ケース３５に対して十分に大きく開放させることができるため、上部繰出ケース３５、下部繰出ケース３６、繰出しロール３７のメンテナンスを更に容易に行うことができる。
【００６５】
尚、基端部５５Ａ及び２つの搬送管５５を下部繰出ケース３６に対して開放姿勢にしても、基端部５５Ａ、搬送管５５、ホース８２は、係止部８０を介して、下部繰出ケース３６に支持された状態なので、メンテナンスが完了したときも、地上などに落下した基端部５５Ａや搬送管５５を回収する操作が不要となる。
【００６６】
図１７に示すように、基端部５５Ａの下端に設けられた係止部８０は、基端部５５Ａの下端から前方下向きに延出されたアーム部と、アーム部の先端から概して上下２方向に延出された一対の弾性係止片とを備え、弾性係止片は、第２横向き軸心Ｘ２を中心とした部分環状の弾性挟持部８０ｃと、弾性挟持部８０ｃの各先端から外側に開くように延出された案内部８０ｄとを有する。
尚、図１７は、導風シャッター５７、開閉レバー７５、連結レバー４２、送風ダクト１０１などが省略された記載となっている。
【００６７】
したがって、搬送管５５を下部繰出ケース３６から完全に分離させる必要が生じれば、図９のように連結レバー４２を外した状態で、搬送管５５を後方向きに引っ張れば、弾性を備えた弾性挟持部８０ｃが一時的に自動的に上下に開いて、軸部材３６ｐから抜け出るので、基端部５５Ａ及び搬送管５５を下部繰出ケース３６から簡単に分離させることができる。
【００６８】
搬送管５５を下部繰出ケース３６と連結された状態に戻す際には、一対の案内部８０ｄを軸部材３６ｐに押し付けると、弾性挟持部８０ｃの弾性変形に基づいて一対の案内部８０ｄが一時的に開いて、軸部材３６ｐが一対の弾性挟持部８０ｃの間に係入、挟持された枢支連結状態となる。次に、軸部材３６ｐの第２横向き軸心Ｘ２回りで搬送管５５を引き起こすことで、基端部５５Ａを下部繰出ケース３６の下流側端面と対向させておき、連結レバー４２を係止させればよい。
【００６９】
図７、図８、図９、図１３に示すように、個々の送風管路３６ａは送風ダクト１０１と連結されているので、開閉レバー４９を外しただけでは、特定の繰出部３２についてのみ下部繰出ケース３６を上部繰出ケース３５に対して開放姿勢にすることはできない。しかし、図５、図６に示すように、送風ダクト１０１の直線状部位は、各繰出部３２に対応した短いセクション１０１ｐごとに他の隣接するセクション１０１ｐから分離可能に構成されているので、事前に、水田作業機の前後方向で対応する対応セクション１０１ｐと隣接する他のセクション１０１ｐとを締結しているロックリング１２０（連結具の一例）をロック解除状態にしておけば、この対応セクション１０１ｐの移動と共に、特定の繰出部３２の下部繰出ケース３６のみを選択的に上部繰出ケース３５に対して開放姿勢にすることが可能となる。
【００７０】
移動対象となる対応セクション１０１ｐの外周には１本の係止フランジ１０２ａのみが端部に形成されているが、他のセクション１０１ｐの外周には、端部に位置する１本の係止フランジ１０３ａと、係止フランジ１０３ａから軸心方向内側に離間した補助フランジ１０３ｂとが形成されている。
また、他のセクション１０１ｐの端部には、環状のスペーサ１０５が係止フランジ１０３ａと係止する形態で外嵌設置されている。
【００７１】
図１８、図１９、図２０に示すように、ロックリング１２０は、他のセクション１０１ｐ（図１９で右側に示す部位）の端部の全周と対応セクション１０１ｐ（図１９で左側に示す部位）の端部の約半周とに外嵌される固定部位１２１、及び、固定部位１２１に対して横向き軸心Ｘ４回りで回動自在に枢支された可動部位１２２を備えている。
可動部位１２２は、横向き軸心Ｘ４付近から部分環状を呈するように延設された本体１２２ａと、本体１２２ａの他のセクション１０１ｐ側の中間部位から径方向内側に突出形成された一対の弾性把持部１２２ｂと、本体１２２ａの対応セクション１０１ｐ側の中間部位から径方向内側に突出形成されたフランジ保持部１２２ｃと、本体１２２ａの先端に形成された被係止部１２２ｄとを有する。
【００７２】
図１８、図２０に示すように、可動部位１２２は、対応セクション１０１ｐの端部の残りの約半周と固定部位１２１とに同時に外嵌された連結姿勢（図１８における実線記載、図１９及び図２０（ａ）を参照）と、対応セクション１０１ｐの端部の残りの約半周と固定部１２１位との双方から離脱された解除姿勢（図１８における二点鎖線記載及び図２０（ｂ）を参照）の間で切り換え可能とされている。
【００７３】
図２０に示すように、固定部位１２１の他のセクション１０１ｐ寄りの内径側端部は、可動部位１２２の姿勢に関わらず、他のセクション１０１ｐの補助フランジ１０３ｂとスペーサ１０５との間の環状の間隙内に安定した状態で係入固定されている。
【００７４】
図２０（ａ）に示すように、可動部位１２２の連結姿勢における各セクション１０１ｐの上側半周部位では、対応セクション１０１ｐの係止フランジ１０２ａが、固定部位１２１の対応セクション１０１ｐ寄りの内径側端部とスペーサ１０５との間に挟着保持される形で、対応セクション１０１ｐと他のセクション１０１ｐとのクランプが実現されている。
【００７５】
他方、可動部位１２２の連結姿勢における各セクション１０１ｐの下側半周部位では、可動部位１２２のフランジ保持部１２２ｃが対応セクション１０１ｐの係止フランジ１０２ａの端面を送風ダクト１０１の軸心方向で係止し、可動部位１２２の弾性把持部１２２ｂが固定部位１２１の一部端面を軸心方向でフランジ保持部１２２ｃに向けて押付ける形で、対応セクション１０１ｐと他のセクション１０１ｐとのクランプが実現されている。
【００７６】
また、図１８に示すように、連結姿勢では、可動部位１２２の先端に設けられた被係止部１２２ｃが、固定部位１２１の対応セクション１０１ｐ側から直線状に延設された弾性アーム部１２１ａのフック部１２１ｂに係止されている。弾性アーム部１２１ａを人為的に径方向外側に一時的に弾性変形させることで、被係止部１２２ｃとフック部１２１ｂとの係合が解除され、可動部位１２２の解除姿勢への移動が可能となる。
【００７７】
図２０（ｂ）に示すように、対応セクション１０１ｐの両端において、可動部位１２２が解除姿勢に切り換えられると、各セクション１０１ｐの下側半周部位におけるクランプ状態が解除されるので、対応セクション１０１ｐは、係止フランジ１０２ａを、固定部位１２１の対応セクション１０１ｐ寄りの内径側端部とスペーサ１０５との間から下向きに抜き出す形で、下方に変位させることができる。
図９及び図１８に示すように、他のセクション１０１ｐに対して下方に変位された対応セクション１０１ｐは、下部繰出ケース３６と一体的に、第１横向き軸心Ｘ１を中心とする円弧状の軌跡に沿って移動される。
【００７８】
対応セクション１０１ｐを他のセクション１０１ｐと隣接する元の位置に戻して両部材を再び連結する際には、先ず、対応セクション１０１ｐの上方の係止フランジ１０２ａを、固定部位１２１の対応セクション１０１ｐ寄りの内径側端部とスペーサ１０５との間に圧入させる。次に、可動部位１２２を、図１８に二点鎖線で示されている解除姿勢から、上方に揺動操作していくと、先ず、弾性把持部１２２ｂの先端部のみが固定部位１２１の側面と係止され、さらに上方に揺動操作すると、対応セクション１０１ｐの下方の係止フランジ１０２ａ及び固定部位１２１の一部端面が、可動部位１２２のフランジ保持部１２２ｃと、可動部位１２２の弾性把持部１２２ｂとの間に挟持される。最後に、可動部位１２２の被係止部１２２ｃを、固定部位１２１のフック部１２１ｂに係止させる。以上の各操作を対応セクション１０１ｐの両端で実施することで、対応セクション１０１ｐと他のセクション１０１ｐとのクランプが完了する。
【００７９】
〔別実施形態〕
〈１〉上記の実施形態とは逆に、第２横向き軸心Ｘ２を備えた軸部材３６ｐが搬送管５５に設けられ、軸部材３６ｐに対して弾性的に着脱自在に外嵌支持される係止部８０が下方ケース部３６に設けられた形態で実施してもよい。
【００８０】
〈２〉搬送管５５と下方ケース部３６のいずれかに設けられた軸部材３６ｐに対して弾性的に着脱自在に外嵌支持される係止部８０として、軸部材３６ｐに対する径方向外側からの押付けに基づいて外嵌支持されるのではなく、軸部材３６ｐに対する軸心方向外側からの装着に基づいて外嵌支持される係止部を用いてもよい。
【００８１】
〈３〉上部繰出ケース３５が貯留ホッパ３１の下方部位として一体形成され、この下方部位に対して下部繰出ケース３６が揺動開閉自在に枢支連結され、この下方部位と下部繰出ケース３６との境界部分に繰出ロール３７が配置された形態で実施してもよい。これにより組み立て時の作業工程を少なくでき製造が容易となる。
【００８２】
〈４〉本発明は、送風管部が搬送空気風路の対応部位と一体的に形成されておらず、下方ケース部を上方ケース部に対して揺動開放させることで、送風管部が搬送空気風路の対応部位から自動的に抜け出される形態の農用資材供給装置にも適用できる。この形態でも、搬送空気風路の対応部位を他の部位から分離させることで、繰出しロール及び繰出しケース部のメンテナンス作業を更に容易に行うことができる。
【００８３】
〈５〉肥料の代わりに種籾を貯留ホッパ３１に貯留することで施肥装置２を直播用の装置として用いることが可能である。
【産業上の利用可能性】
【００８４】
本発明は、肥料や種籾など粉粒状の農用資材を圧送用空気と共に圃場に向けて送り出すべく田植機などに設置される農用資材供給装置を、メンテナンス作業を行い易い構成に改良する技術として利用可能な発明である。
【符号の説明】
【００８５】
２        施肥装置
３１      ホッパ
３２      繰出部
３４      繰出ケース（繰出ケース部）
３５      上部繰出ケース（上方ケース部）
３６      下部繰出ケース（下方ケース部）
３６ａ    送風管路（送風管部）
３６ｐ    軸部材
３７      繰出しロール
５５      搬送管（搬送管部）
５５Ａ    基端部
８０      係止部
８２      ホース
１０１    送風ダクト（搬送空気風路）
１０１ｐ  セクション（送風ダクト、対応部位、他の部位）
１０２    排出ダクト
１０４    ブロア（送風機）
１２０    ロックリング（連結具）
１２１    固定部位
１２２    可動部位
１２２ａ  本体（可動部位）
１２２ｂ  弾性把持部（可動部位）
１２２ｃ  係止部（可動部位）
Ｘ１      第１横向き軸心
Ｘ２      第２横向き軸心
【図１】
2013000074.tif 000003
【図２】
2013000074.tif 000004
【図３】
2013000074.tif 000005
【図４】
2013000074.tif 000006
【図５】
2013000074.tif 000007
【図６】
2013000074.tif 000008
【図７】
2013000074.tif 000009
【図８】
2013000074.tif 000010
【図９】
2013000074.tif 000011
【図１０】
2013000074.tif 000012
【図１１】
2013000074.tif 000013
【図１２】
2013000074.tif 000014
【図１３】
2013000074.tif 000015
【図１４】
2013000074.tif 000016
【図１５】
2013000074.tif 000017
【図１６】
2013000074.tif 000018
【図１７】
2013000074.tif 000019
【図１８】
2013000074.tif 000020
【図１９】
2013000074.tif 000021
【図２０】
2013000074.tif 000022